(57)【要約】 【課題】  スプレー塗装に用いるマスキング治具であって、繰り返し使用しても、塗料通過孔周囲から余分な塗料がワーク上に落ちないようにする。【解決手段】  スプレー４０から広がって噴射される塗料の内、山形断面の覆い部材１９の塗料通過孔２１ａを通った塗料はマスキングプレート１１の塗料通過孔１８ａを介して下枠に到達して切欠部３ａを塗装する。一方、覆い部材１９の塗料通過孔２１ａの縁部周囲に噴射された塗料は、覆い部材１９の外側斜面１９ａで受け止められ、マスキングプレート１１上面に向けて流れるため、マスキングプレート１１の塗料通過孔１８ａ周囲に溜まることが極めて少なくなる。従って、マスキングプレート１１だけで塗装する場合と比べて、余分な塗料が下枠１上に落ちる不都合が極めて小さくなる。【選択図】  図２
2005211710.tif 000002
【特許請求の範囲】
【請求項１】
塗料通過孔を有し、ワークの被塗装部分に対して該塗料通過孔を対向させ、該塗料通過孔を通して塗料を前記被塗装部分に上方からスプレー塗装する際に用いられる塗装用マスキング治具であって、塗料通過孔を形成したマスキングプレートの上面に前記塗料通過孔と対応した別の塗料通過孔を形成した覆い部材を前記塗料通過孔を覆って設け、その覆い部材は、スプレー塗装の際に、前記別の塗料通過孔の縁部へスプレーされた塗料をマスキングプレート上面に向けて導くように形成されていることを特徴とする塗装用マスキング治具。
【請求項２】
覆い部材は山形断面を成して覆い部材内側空間と外側空間とを区画し、その覆い部材の頂部に、前記塗料通過孔と対応した別の塗料通過孔を形成した請求項１記載の塗装用マスキング治具。
【請求項３】
ワークはサッシ窓枠の下枠であって、被塗装部分は下枠のレールに形成された切欠部である請求項１または２記載の塗装用マスキング治具。
【発明の詳細な説明】
【技術分野】
【０００１】
この発明は、塗装用のマスキング治具に関するものである。
【背景技術】
【０００２】
従来一般的な塗装のマスキング方法が、特許文献１に記載されている。ここには、開口した非マスキング部分を介して塗料吹付ガンで塗料を被塗装面に塗装するマスキング治具が開示されている。
【０００３】
また、特許文献２には、塗装面に対して、ベース部材と第１のマスキング部材と第２のマスキング部材とを位置あわせして、第１のマスキング部材のスリット孔を利用して上塗り塗装し、次に第１のマスキング部材を取り除いて第２のマスキング部材のスリット孔を利用してクリヤ塗装するものが開示されている。
【特許文献１】特公昭５８−５０５４１号公報
【特許文献２】特開平８−１０５２号公報
【発明の開示】
【発明が解決しようとする課題】
【０００４】
ところで、スプレー塗装の場合では、特許文献２の図５，６に明確に開示されているように塗料が広がって噴射される。そのため、図５に示すように、マスキング部材Ａの塗料通過孔Ｂ（特許文献２でいうところのスリット孔）の上面縁に、余分な塗料Ｐが溜まる。繰り返し塗装を行なうと、そのように溜まった余分な塗料Ｐが塗料通過孔からワークＷ上に落ちて製品品質を下げる畏れがある。本願は、この問題を解決する塗装用マスキング治具を提供するものである。
【課題を解決するための手段】
【０００５】
本発明の塗装用マスキング治具は、塗料通過孔を有し、ワークの被塗装部分に対して該塗料通過孔を対向させ、該塗料通過孔を通して塗料を前記被塗装部分に上方からスプレー塗装する際に用いられる塗装用マスキング治具であって、塗料通過孔を形成したマスキングプレートの上面に前記塗料通過孔と対応した別の塗料通過孔を形成した覆い部材を前記塗料通過孔を覆って設け、その覆い部材は、スプレー塗装の際に、前記別の塗料通過孔の縁部へスプレーされた塗料をマスキングプレート上面に向けて導くように形成されていることを特徴とする。
具体的には覆い部材は、山形断面を成して覆い部材内側空間と外側空間とを区画し、その覆い部材の頂部に、前記塗料通過孔と対応した別の塗料通過孔を形成してある。
ワークはサッシ窓枠の下枠であって、被塗装部分は下枠のレールに形成された切欠部である。
【発明の効果】
【０００６】
本願装置では、マスキングプレート上面を、別の塗料通過孔を設けた覆い部材で覆って、スプレーされる塗料の内、塗装に必要な塗料は、覆い部材の別の塗料通過孔を通してマスキングプレートの塗料通過孔に到達させ、スプレーから広がって噴射される不要な塗料は、覆い部材の外側面を伝い落ちるようにでき、マスキングプレートの塗料通過孔周囲に、スプレー塗装による余分な塗料が溜まりにくくなり、繰り返し同じ治具を用いてスプレー塗装しても、そうした余分な塗料がワーク上に落ちることを防止でき、ワーク品質を向上することができる。
【実施例】
【０００７】
以下の実施例は、塗装対象ワークとしてアルミサッシの窓枠、特に下枠１に対する塗装作業に適用した例である。アルミサッシ窓枠に用いられる枠材では、枠材全体の表面処理（着色など）が行なわれる。枠材のうち、下枠１には、図２または図３に示すように、下枠１の階段状の基壁２から上方に向けて、内障子、外障子、及び網戸用の各レール３，４，５が形成されている。これらのレール３，４，５の間にはゴミが溜まりやすいので、そうしたゴミを掃き出すために、図３に示すようにこれらのレール３，４，５は、例えばレール端部分が機械加工で切除されて切欠部３ａ，４ａ，５ａが形成される。この機械加工で作られた切欠部３ａ，４ａ，５ａは、表面処理が削られて金属地肌が出てしまうので、外観上好ましくない上に、金属保護のためにも不利となる。
【０００８】
図１には、この削除した切欠部に塗装を施すために、本願出願人が提案する塗装用マスキング治具１０を備えた塗装治具の平面図を示す。また、その断面は図２に示されている。塗装用マスキング治具１０において、ワークとしての下枠１の階段形状に合わせて階段状にマスキングプレート１１が形成してある。マスキングプレート１１の長手両端は側板部材１２で塞がれ、マスキングプレート１１の前後板１３，１３と前記側板部材１２，１２、マスキングプレート１１とによりスプレー側が開口した箱形状となっている。前後板１３，１３は、上端が水平方向に屈曲されている。その水平部分１４，１４に鉤状に屈曲した把持部材１５，１５の基部１６，１６が固着してある。また、水平部分１４には、治具フレーム３０に設けた２つの位置決めピン３５と嵌脱する２つの位置決め孔１７が形成してある。
【０００９】
前記マスキングプレート１１には、下枠の内障子用レール３、外障子用レール４、網戸レール５に形成された各切欠部３ａ，４ａ，５ａと対応する幅、長さで塗料通過孔（細長いスリット孔）１８ａ、１８ｂ，１８ｃが設けてある。そのマスキングプレート１１の上面には、３つの山形断面の覆い部材１９が各塗料通過孔１８ａ、１８ｂ，１８ｃを覆うように左右の側板部材１２，１２の間に亘って取り付けられ、各覆い部材１９の内側空間と外側空間とを区画している。各覆い部材１９の頂部２０には、夫々の塗料通過孔１８ａ、１８ｂ，１８ｃと対応した大きさの別の塗料通過孔２１ａ，２１ｂ，２１ｃが形成してある。
【００１０】
このマスキング治具１０を固定する治具フレーム３０を説明する。治具フレーム３０は、マスキング治具１０と対応する長さで上方を開口した断面のフレーム本体３１に、ワーク支持フレーム３２、３２ａが長手方向に設けてある。ワーク支持フレーム３２上には、下枠１の形状を利用して下枠１の上下、前後方向を位置決めするガイド部材３３，３４が長手方向に沿って取り付けてある。フレーム本体３１の上部には、前記２つの位置決め孔１７と係脱する位置決めピン３５が上方に向けて突設してある。この位置決めピン３５に前記塗装用マスキング治具１０の位置決め孔１７を上方から嵌め込んでマスキング治具１０をフレーム本体３１に取替え可能に位置決めし、取付ねじ１７ａで固定するようにしてある。ワーク支持フレーム３２には、下枠１の端面１ａが長手方向から当接するストッパ３６が設けてあり、下枠（ワーク）１をマスキング治具１０下方でガイド部材３３，３４にガイドさせつつ長手方向（図１で左側）から差し込んで前記ストッパ３６に下枠端面１ａを当接させると、レール３，４，５の切欠部３ａ，４ａ，５ａとマスキングプレート１１の塗料通過孔１８ａ，１８ｂ，１８ｃ、覆い部材１９の塗料通過孔２１ａ，２１ｂ，２１ｃとが上下に対向するようになっている。
【００１１】
この状態で上方からスプレー塗装する。図２に示すように、スプレー４０から広がって噴射される塗料の内、覆い部材１９の塗料通過孔２１ａを通った塗料はマスキングプレート１１の塗料通過孔１８ａを介して下枠１に到達して切欠部３ａを塗装する。一方、覆い部材１９の塗料通過孔２１ａの上側縁部周囲に噴射された塗料は、覆い部材１９の外側斜面１９ａで受け止められ、マスキングプレート１１上面に向けて導かれて流れ、しかも、覆い部材１９の内側空間が外側空間と区画されているため、マスキングプレート１１の塗料通過孔１８ａ周囲には余分な塗料が溜まることが殆ど無くなる。従って、マスキングプレート１１だけで塗装する場合と比べて、余分な塗料が下枠１上に落ちる不都合が極めて小さくなる。なお、ここでは、内障子用レール３の切欠部３ａについての塗装状態を説明したが、外障子用レール４の切欠部４ａ，網戸用レール５の切欠部５ａも同様である。
【図面の簡単な説明】
【００１２】
【図１】本願塗装用マスキング治具を備えた塗装治具の平面図である。
【図２】図１のＩＩ−ＩＩ線断面図である。
【図３】下枠の斜視図である。
【図４】図１のＩＶ−ＩＶ線断面図である。
【図５】従来技術を説明する図である。
【符号の説明】
【００１３】
３ａ，４ａ，５ａ  切欠部（被塗装部分）
１１  マスキングプレート
１８ａ，１８ｂ，１８ｃ  塗料通過孔
１９  覆い部材
２１ａ，２１ｂ，２１ｃ  別の塗料通過孔
【図１】
2005211710.tif 000003
【図２】
2005211710.tif 000004
【図３】
2005211710.tif 000005
【図４】
2005211710.tif 000006
【図５】
2005211710.tif 000007